(57)【要約】【課題】器具本体内に導入された電線の配線作業を容易にできる照明器具を提供する。【解決手段】表示板（二次光源）３５が装着される器具本体２に、点灯装置２１及び点灯されて表示板３５を照らす光源部３１を内蔵する。器具本体２は、その上部でかつ左右方向中央部に第１の電線通し部１１が設けられた本体壁、左右方向中央部に第２の電線通し部が設けられた上壁４、及び左右側壁６，７を有する。複数の電線差込孔４２〜４５が器具本体２の上下方向に並んで開放された斜面４１ａを有する端子台４１を、その斜面を一方の側壁６がわに配した姿勢で電線通し部１１と点灯装置２１との間に配置する。端子台４１は、器具本体２を幅方向に二分する中心線Ｃから側壁７寄りに離されるとともに端子台４１に向かい合う右側壁７に対して器具本体２の幅Ｗ１の半分以上離して配設されていて、電線通し部から電線差込孔にわたる電線がＵ字状に曲がって納められるスペースＳを右側壁７との間に確保していることを特徴としている。【選択図】      図４
2010129222.tif 000002
【特許請求の範囲】
【請求項１】
上部でかつ左右方向中央部に第１の電線通し部が設けられた本体壁、前記第１の電線通し部より上方で前記本体壁に連続しかつ左右方向中央部に第２の電線通し部が設けられた上壁、及びこれら上壁と本体壁に連続した左右の側壁を有する器具本体と；
この器具本体に内蔵された点灯装置と；
前記器具本体に内蔵されて前記点灯装置により点灯される光源部と；
前記器具本体に装着され前記光源部により照らされる二次光源と；
複数の電線差込孔が前記器具本体の上下方向に並んで開放された斜面を有する端子台であって、前記第１の電線通し部と前記点灯装置との間に、前記斜面を前記左右側壁の内の一方の側壁がわに配した姿勢で、前記器具本体を左右方向に二分する中心線から前記左右側壁の内の他方の側壁寄りに離されるとともに前記一方の側壁がわから前記端子台に向かい合う部材に対して前記器具本体の幅の半分以上離して配設され、前記第１又は第２の電線通し部から前記電線差込孔にわたる電線がＵ字状に曲がって納められるスペースを前記部材との間に確保した前記端子台と；
を具備したことを特徴とする照明器具。
【請求項２】
前記端子台と前記部材とが５０ｍｍ以上離れているとともに、前記端子台とこの上方に離間した前記上壁とが前記第１の電線通し部の直径より大きく離れていることを特徴とする請求項１に記載の照明器具。
【請求項３】
前記斜面に直交する直線と前記本体壁とが挟む前記電線差込孔に対する電線差込角が、１０°〜４０°であることを特徴とする請求項１又は２に記載の照明器具。
【請求項４】
請求項１から３の内のいずれか一項の照明器具により形成された誘導灯であって、前記光源部が前記器具本体の一辺に寄せて配置され、かつ、前記二次光源が誘導表示を有して前記器具本体の正面を覆って前記器具本体に装着された表示板からなることを特徴とする誘導灯。
【発明の詳細な説明】
【技術分野】
【０００１】
本発明は、例えば建物の避難口、建物の廊下又は通路等の天井又は垂直な壁のいずれかを選択して設置される四角い箱状の誘導灯、及びこの誘導灯等からなる照明器具に関する。
【背景技術】
【０００２】
従来、ランプを点灯する高圧側の出力に基づく電源線や信号線に対するノイズの重畳を防止するために、点灯装置に接続される電源線及び信号線を、ランプ出力線の高圧側とは離間しかつ交差しない位置に配置した誘導灯が知られている（例えば、特許文献１参照。）。
【０００３】
この配置を実現するために、特許文献１に記載の誘導灯では、正面側のランプユニットと導光板ユニットが装着される本体ユニットの四角い箱状をなす筐体内の下部に配置された点灯装置と筐体の上板部との間に、筐体の一方の側板部（これは正面から見て右側に位置している。）に寄せて電源端子台を配置するとともに、筐体の他方の側板部（これは正面から見て左側に位置している。）に寄せて高圧側のランプ出力線を配線している。
【０００４】
更に、筐体の左右方向中央部に電源線導入口が設けられている。すなわち、筐体の上板部の左右方向中央部に、誘導灯が誘導灯設置場所の天井に固定された場合に、天井から電源線及び信号線を筐体内に引込むための電源線導入口が設けられている。これとともに、筐体の背板部の左右方向中央部に、誘導灯が誘導灯設置場所の垂直な壁に固定された場合に、壁から電源線を筐体内に引込むための電源線導入口が、上板部より下方に設けられている。
【０００５】
特許文献１に記載の誘導灯で電源端子台は、背板部に設けられて電線を壁から引込む電源線導入口と同じ高さ位置に配置されている。そして、背板部の電源線導入口から筐体内に導入された電源線は、筐体内で左側に向かって略９０°曲げるようにして電源端子台に接続されるようになっている。
【特許文献１】特開２００７−１８４１９７号公報（段落００２２−００５２、図１−図５）
【発明の開示】
【発明が解決しようとする課題】
【０００６】
特許文献１の誘導灯では、誘導灯設置場所の垂直な壁から筐体内に導入された電源線等の電線の配線作業に手間が掛かる。ここに配線作業とは、電源線導入口から筐体内に引込んだ電源線等の電線の皮剥きされた芯線を電源端子台に挿入して接続する作業（以下電線接続作業）、及びこの後に筐体内に引込まれた電源線等の電線を筐体内に収める作業（以下電線収納作業）を指している。
【０００７】
すなわち、特許文献１の誘導灯では、背板部の電源線導入口と電源端子台とが同じ高さ位置にあるので、電源線導入口から電源端子台の電線挿入孔までの距離が近い。そのため、電線挿入孔が開放された電源端子台の側面と電源線導入口側の電源線の根元部位とが、筐体の左右方向に沿って近い距離で対向している。
【０００８】
加えて、電源端子台の電線挿入孔は、背板部に対して直角な電源端子台の側面に開放されているため、この電線挿入孔に電源線の皮剥きされた芯線を挿入する場合、電源線の端末部を器具本体の背板部と略平行に移動させて、電源線の芯線を端子台に挿入する必要がある。
【０００９】
したがって、この際に筐体内に引込まれた電源線の電源線導入口側の根元部位が作業の邪魔になる可能性が高く、電源接続作業に手間が掛かる。
【００１０】
しかも、特許文献１では、筐体内に引込まれた電源線の筐体内への収納形態として、既述のように筐体内で左側に向かって略９０°曲がって電源端子台に接続された状態が記載されているだけである。
【００１１】
そして、電源線導入口から筐体内に導入される電源線の長さは、電源線を手で持って電源線接続作業を行うのに十分な長さが必要である。この長さは、筐体内で左側に向かって略９０°曲がって電源端子台に至る電源線の長さよりかなり長い。このため、電源線接続作業後に、筐体内に引込んだ電源線を、電源線導入口から筐体外に送り出しながら筐体内に収める必要がある。
【００１２】
ところで、電源線（Ｆケーブル）は、複数の芯線を個別に内側絶縁層で一次被覆するとともに、塩化ビニル樹脂等からなる外側絶縁層（シース）で二次被覆した三層構造をなしているので、その長さが短い場合には固めで曲げ難く、特に周囲温度が低い冬場は尚更曲げ難いことが知られている。そのため、一度、筐体内に引込んだ電源線を少しずつ曲げながら電源線導入口から筐体外に押し出しながら、筐体内で左側に向かって略９０°曲がって電源端子台に接続された状態とする作業は、非常に手間がかる。
【００１３】
なお、特許文献１の誘導灯では、電源線導入口を境に電源端子台と反対側に位置する筐体の側板部と電源端子台との間は大きく空いている。しかし、このスペースに筐体内に引込まれた電源線を曲げて収納することは、その電源線がランプ出力線の高圧側に近付き過ぎかつ交差する位置に配線される可能性が高い。したがって、前記スペースを利用して電源線を収納することは特許文献１には示唆すらされていない。このような事情は、筐体の上板部の電源線導入口を通って筐体内に引込まれた電源の電線収納作業についても同様である。
【００１４】
又、既述のように筐体の背板部の電源線導入口を通って筐体内で左側に向かって略９０°曲がって電源端子台に接続された電源線の長さが長過ぎる場合は、この電源線が導光板ユニットを押すので、筐体に対する導光板ユニットの取付け不良を招く恐れがある。
【００１５】
本発明の目的は、器具本体内に導入された電線の配線作業を容易にできる照明器具及び誘導灯を提供することにある。
【課題を解決するための手段】
【００１６】
請求項１に係る発明の照明器具は、上部でかつ左右方向中央部に第１の電線通し部が設けられた本体壁、前記第１の電線通し部より上方で前記本体壁に連続しかつ左右方向の中央部に第２の電線通し部が設けられた上壁、及びこれら上壁と本体壁に連続した左右の側壁を有する器具本体と；この器具本体に内蔵された点灯装置と；前記器具本体に内蔵されて前記点灯装置により点灯される光源部と；前記器具本体に装着され前記光源部により照らされる二次光源と；複数の電線差込孔が前記器具本体の上下方向に並んで開放された斜面を有する端子台であって、前記第１の電線通し部と前記点灯装置との間に、前記斜面を前記左右側壁の内の一方の側壁がわに配した姿勢で、前記器具本体を左右方向に二分する中心線から前記左右側壁の内の他方の側壁寄りに離されるとともに前記一方の側壁がわから前記端子台に向かい合う部材に対して前記器具本体の幅の半分以上離して配設され、前記第１又は第２の電線通し部から前記電線差込孔にわたる電線がＵ字状に曲がって納められるスペースを前記部材との間に確保した前記端子台と；を具備したことを特徴としている。
【００１７】
この発明で、第１、第２の電線通し部は、予め開口された孔であってもよく、或いは、使用前の状態では閉じていて使用の際に除去されることにより孔となるノックアウト部であってもよく、前者の場合、使用しない孔からなる電線通し部は協体内への埃の侵入等を防止するために蓋で閉じることが望ましい。この発明で、光源部には、冷陰極ランプを用いることができる他、器具本体の幅方向に並べられた複数の発光ダイオードを光源として有した光源部を用いることもできる。
【００１８】
この発明で、二次光源とは、光源部からの光を受けてそれ自体が発光して照明に供される表示板や面発光板を含んでいるとともに、光源部からの光を受けてそれを所定方向に反射する反射部材等も含んでおり、照明器具の種類によって選択できる。そのため、二次光源に表示板を採用した照明器具は誘導灯として実施でき、又、二次光源に面発光板を採用した場合は面発光型の照明器具として実施でき、更に、二次光源に反射部材を採用した場合は壁面照明或いは天井等への間接照明をする照明器具として実施できる。
【００１９】
この発明で、端子台の斜面は、器具本体の本体壁には対向しないが、器具本体の正面側に位置する端子台の厚み方向の表面（端子台の正面）から本体壁に向けて近づくように傾いた面を指している。この発明で、端子台に一方の側壁がわから向かい合う部材は、器具本体の一方の側壁であってもよく、或いは器具本体に内蔵された点灯装置その他の部品であってもよい。
【００２０】
この発明においては、請求項２のように前記端子台と前記部材とが５０ｍｍ以上離れているとともに、前記端子台とこの上方に離間した前記上壁とが前記第１の電線通し部の直径より大きく離れていることが好ましい。同様に、この発明においては、請求項３のように前記斜面に直交する直線と前記本体壁とが挟む前記電線差込孔に対する電線差込角が、１０°〜４０°であることが好ましい。
【００２１】
請求項１から３の発明では、器具本体の本体壁に設けられた第１の電線通し部の下方に端子台を配設しているので、第１の電線通し部を通って器具本体内に引込まれた電源線等の電線の電線通し部側の根元部位は、電線の先端部が差込まれる端子台の斜面に対して器具本体の左右方向に対向していないとともに、これら根元部位と端子台の斜面との距離は斜め上下方向に多少ではあるが広がる。そのため、第１の電線通し部を通って器具本体内に引込まれた電線を端子台に差込み接続する電線接続作業において、前記根元部位が邪魔になることが抑制される。
【００２２】
更に、端子台の電線差込孔は端子台が有する斜面に開放されているので、電線接続作業において、器具本体内で電線の皮剥きされた端末部（先端部）を指で摘んだ状態で本体壁と略平行に移動させることなく、端子台の電線差込孔に対して電線の端末部を斜めに差込むことができる。この点でも前記根元部位が邪魔になることが抑制される。これとともに、以上の斜めの差込みにより端子台に向かい合っている部材に対しても、電線を握っている手が干渉することが抑制される。
【００２３】
したがって、端子台への電線接続作業を容易にできる。又、器具本体の上壁の第２の電線通し部は、第１の電線通し部よりも更に端子台から上方に離れているので、第２の電線通し部を通って器具本体内に引込まれた電源線等の電線を端子台に接続する電線接続作業は更に容易である。
【００２４】
この電線接続作業後に、既に器具本体内に引込まれた電線は、器具本体を正面に見て略Ｕ字状となるように曲げて端子台と前記部材との間のスペースに収められる。この場合、端子台の配置、即ち、端子台が、左右の側壁の内の他方の側壁寄りに器具本体を幅方向に二分する中心線から離されているとともに、一方の側壁がわから端子台に向かい合う部材に対して器具本体の幅の半分以上離して配設されていて、第１又は第２の電線通し部から斜面の電線差込孔にわたる電線が略Ｕ字状に曲がって納められるスペースを端子台と前記部材との間に確保しているから、器具本体の限られた大きさ内に前記スペースが広く確保されている。
【００２５】
そのため、電線通し部を通して器具本体内にから既に引込まれた電線を、器具本体外に押し戻す作業を殊更に行う面倒がなく、更に、電線を小さく曲げる作業も必要としないので、器具本体への電線収納作業を容易に行うことができる。又、器具本体の上壁の第２の電線通し部は、第１の電線通し部よりも更に端子台から上方に離れている。それにより、電線収納作業において電線の略Ｕ字状の曲がりがより緩やかになって、器具本体への電線収納作業を更に容易に行うことができる。
【００２６】
請求項４に係る発明の誘導灯は、請求項１から３の内のいずれか一項の照明器具により形成された誘導灯であって、前記光源部が前記器具本体の一辺に寄せて配置され、かつ、前記二次光源が誘導表示を有して前記器具本体の正面を覆って前記器具本体に装着された表示板からなることを特徴としている。
【００２７】
この発明の誘導灯は、請求項１から３の内のいずれか一項の照明器具により形成されているので、既述した理由により器具本体内に導入された電線の配線作業を容易にできる。
【発明の効果】
【００２８】
請求項１の発明の照明器具によれば、器具本体内に導入された電線の配線作業を容易にできる。
【００２９】
請求項２の発明の照明器具によれば、請求項１の発明において、更に、スペースに収納される電線の略Ｕ字状の曲がりが緩やかになって、器具本体への電線収納作業を容易に行うことができる。
【００３０】
請求項３の発明の照明器具によれば、請求項１又は２の発明において、更に、端子台の電線差込孔に対して電線の端末部を斜めに差込むことができるので、端子台への電線接続作業を容易にできる。
【００３１】
請求項４の誘導灯によれば、器具本体内に導入された電線の配線作業を容易にできる。
【発明を実施するための最良の形態】
【００３２】
図１〜図７を参照して本発明の一実施形態を説明する。
【００３３】
図１中符号１は一実施形態に係る照明器具例えばＣ級の誘導灯を示している。誘導灯１は、各種の誘導灯の中でも最も小形でかつ薄く形成されていて、屋内での避難誘導のために屋内の天井又は垂直な壁に直付けして設置される。この誘導灯１は、図２〜図４に示すように器具本体２と、点灯装置２１と、非常用電源２５と、光源部３１と、二次光源例えば表示板３５と、端子台４１を具備している。
【００３４】
図２〜図７に示すように合成樹脂製の一体成形品からなる器具本体２は、本体壁３と、四辺、つまり、上壁４、下壁５、左側壁６、及び右側壁７を有していて、前面（正面）が開放された四角い箱形状をなしている。
【００３５】
本体壁３は四角例えば略正方形状をなしている。本体壁３は図３に示すように第１の電線通し部１１と一対の壁取付け部１２を有している。
【００３６】
第１の電線通し部１１は本体壁３の上部でかつ左右方向（幅方向）中央部に設けられている。図５に示すように第１の電線通し部１１は、環状をなした第１の薄肉部１１ａを介して本体壁３に一体に成形された第１の閉鎖部１１ｂで閉じられている。第１の閉鎖部１１ｂは、円形であり、外部から強打された場合に第１の薄肉部１１ａの破断を伴って除去される。こうしたノックアウトによる除去跡は円形孔をなして第１の電線通し部１１として利用され、この第１の電線通し部１１に屋内の垂直な壁の裏と器具本体２内とにわたる電源線等の電線が通されるようになっている。第１の電線通し部１１の径は、誘導灯１内に引込まれる電線の内で最大の太さの電線を２本通すことができる大きさに形成されている。ここに最大の太さとは、ケーブル断面が楕円形をなした三芯のＦケーブル（電源線）の長径を指している。
【００３７】
各壁取付け部１２は第１の電線通し部１１の両側に設けられている。各壁取付け部１２は、第１の電線通し部１１と同様にノックアウトによってダルマ形状の孔となる部分で形成されている。ノックアウトされた壁取付け部１２が利用される場合には、器具本体２の内側から図示しない取付けねじが屋内の壁に横向きにねじ込まれ、それによって、本体壁３を屋内の壁に接触させて器具本体２を壁に直付け設置できる。
【００３８】
上壁４は、図３〜図５に示すように第１の電線通し部１１より上方位置で本体壁３に一体に連続して成形されていて、正面側（前方）に突出されている。上壁４は本体壁３の左右方向に延びていて、その長手方向の両端は左側壁６及び右側壁７の上端に一体に連続している。この上壁４は図２に示すように第２の電線通し部１４と一対の天井取付け部１５を有している。
【００３９】
第２の電線通し部１４は上壁４の長手方向中央部（本体部３の左右方向中央部と同じ）に設けられている。図５に示すように第２の電線通し部１４は、第１の電線通し部１１と同様に環状をなした第２の薄肉部１４ａを介して上壁４に一体に成形された第２の閉鎖部１４ｂで閉じられている。第２の閉鎖部１４ｂは、円形であり、外部から強打された場合に第２の薄肉部１４ａの破断を伴って除去される。こうしたノックアウトによる除去跡は円形孔をなして第２の電線通し部１４として利用され、この第２の電線通し部１４に屋内の起立した壁の裏と器具本体２内とにわたる電源線等の電線が通されるようになっている。第２の電線通し部１４の径は、第１の電線通し部１１と同様に誘導灯１内に引込まれる電線の内で最大の太さの電線を２本通すことができる大きさに形成されている。
【００４０】
各天井取付け部１５は第２の電線通し部１４の両側に設けられている。各天井取付け部１５は、第２の電線通し部１４と同様にノックアウトによってダルマ形状の孔となる部分で形成されている。ノックアウトされた天井取付け部１５が利用される場合には、器具本体２の内側から図示しない取付けねじが屋内の天井に上むきにねじ込まれ、それによって、上壁４を屋内の天井に接して器具本体２を屋内の天井に直付け設置できる。
【００４１】
下壁５、左側壁６、及び右側壁７は夫々本体壁３に一体に連続して成形されていて、上壁４と同様に正面側（前方）に突出されている。下壁５は本体壁３の左右方向に延びていて、その長手方向の両端は、上下方向に延びている左側壁６及び右側壁７の下端に一体に連続している。なお、下壁５には非常用電源２５の電力をモニターするためのバッテリーチェック部が下方から視認可能に設けられている。
【００４２】
図３等に示すように器具本体２の下部に点灯装置２１と非常用電源２５等が内蔵されている。点灯装置２１はユニットとなっているとともに、厚みが厚い部位と薄い部位を有している。この点灯装置２１の厚みが薄い部位の上に非常用電源２５が装着されている。点灯装置２１の厚みが厚い部位と非常用電源２５は器具本体２の左右方向に並べられている。点灯装置２１は、それに供給される電源を光源部３１に供給して、この光源部３１を点灯させるものである。この点灯装置２１に対する給電は、非停電時には後述する端子台４１を介して商用交流電源が供給され、停電時には非常用電源２５が供給される。非常用電源２５はバッテリーからなる。
【００４３】
光源部３１は、図６及び図７に示すように細長いベース３２上に複数の光源３３を装着して形成されている。光源３３は白色発光をする発光ダイオードからなる。光源部３１は器具本体２の一辺、例えば上壁４に寄せて左側壁６と右側壁７にわたって配置されている。器具本体２への光源部３１の取付けは、図７に示すようにベース３２の長手方向両端部裏面に突設された凸部３２ａを、左側壁６及び右側壁７の上端部に夫々形成された係合溝６ａ及び７ａ（いずれも図４参照）に嵌め込み係合させることによりなされている。
【００４４】
表示板３５は、導光板とこの裏面に装着された反射部とからなるとともに、導光板の表に誘導表示３５ａ（図１参照）を有している。誘導表示３５ａは誘導方向を表す人形の図柄又はこれと矢印の図柄との組合せ等からなる。この表示板３５は、器具本体２に嵌め込める大きさに形成されていて、器具本体２の正面側からの嵌め込みにより、器具本体２の正面を覆って器具本体２に装着されている。装着された表示板３５の一端部で覆われた光源部３１の光は、導光板にその一端面に入射され、それにより、表示板３５が照らされるようになっている。
【００４５】
器具本体２への表示板３５の嵌め込みは所定の深さで規制されている。そのために、本実施形態では、表示板３５の裏面が点灯装置２１の正面に受止められることで、この点灯装置２１をストッパとして利用している。この嵌め込みの深さ規制により、誘導灯１内に引込まれる電線の内で最大の太さ以上に相当する距離が、器具本体２の本体壁３の内面と表示板３５の裏面との間に確保されている。ここに最大の太さとは、ケーブル断面が楕円形をなした三芯のＦケーブル（電源線）の長径を指している。前記距離は、前記最大の太さの電線の短径に相当する隙間を後述する端子台４１の正面と表示板３５の裏面との間に形成して設けることが好ましい。
【００４６】
なお、図５等に示すように器具本体２内には上部補強金具３７と下部補強金具３９が夫々配設されている。これら上部補強金具３７と下部補強金具３９は、いずれも本体壁３と左側壁６及び右側壁７にわたってこれらの内面を覆っている。又、上部補強金具３７は、前記第１の電線通し部１１を逃げる第１の逃げ部、及び壁取付け部１２を逃げる第２の逃げ部を有しているとともに、端子台固定部３７ａ（図７参照）を有している。
【００４７】
図２〜図７に示すように端子台４１は、絶縁材からなる端子台筐体内に複数の電線接続端子（図示しない）を収納して形成されている。端子台４１の平面形状は図３に示すように四角形状である。この端子台４１は斜面４１ａを有している。斜面４１ａは、器具本体２に内蔵された端子台４１の正面部と、同内蔵状態で上下方向に延びる側面部の内の一方とにわたっていて、かつ、上下方向に延びて形成されている。
【００４８】
斜面４１ａに複数の電線差込孔４２〜４５が上下方向に並べて開放されている。これら電線差込孔４２〜４５には器具本体２内に導入された電線の端末部が差込まれる。それによって、既に電線の皮剥きされた芯線（図示しない）が、各電線差込孔４２〜４５に個別に対応して配置された電線接続端子に鎖錠されて機械的かつ電気的に接続されるようになっている。
【００４９】
電線差込孔４２〜４４は、二芯又は三芯の電源線を、電源供給配線又は必要に応じてなされる電源送り配線をする際に使用される。電線差込孔４５はアース用電線５７（図５参照）を配線する場合に使用される。なお、図４中符号５５は電源供給配線のための三芯の電源線電線を示し、符号５６は電源送り配線のための三芯の電源線電線を示す。
【００５０】
電線差込孔４２〜４５の各中心軸線は斜面４１ａに直交する直線Ｌ（図７参照）上にある。端子台４１が器具本体２に後述のように配置された状態で、器具本体２の本体壁３と前記直線Ｌとが挟む角を電線差込孔４２〜４５に対する電線差込角θと称する。この電線差込角θは、１０°〜４０°より好ましくは１５°〜３５°であり、本実施形態は３０°にした例を示している。
【００５１】
又、図３及び図７中符号４６は電線差込孔４２〜４５に対応した位置の電線接続端子に接続された電線を外す際に押し込み操作される電源線用リリース部を示している。図３中符号４７は電線差込孔４５に対応した位置の電線接続端子に接続されたアース用電線を外す際に押し込み操作されるアース用電線リリース部を示している。
【００５２】
更に、図２及び図３中符号４８〜５０は、端子台４１と点灯装置２１の端子部２１ａとの間を接続する器具内電線５８（図３及び図４参照）が差込み接続される他の電線差込孔を示している。同じく符号５１は器具内電線リリース部を示している。他の電線差込孔４８〜５０に挿入された器具内電線５８は、対応する位置の電線接続端子に鎖錠接続され、この接続は器具内電線リリース部５１を押し込み操作することで解除できるようになっている。
【００５３】
電源線用リリース部４６、アース用電線リリース部４７、及び器具内電線リリース部５１は、いずれも端子台４１の正面に設けられていて、端子台４１の正面側から裏側に向けて押し込み操作される。この場合、端子台４１の正面側に押し込み操作のための空間を広く確保できることと相まって、後述のように各種電線が端子台４１の正面の上に重なるように配線されることがなく、前記押し込み操作の妨げとならないので、各リリース部の押し込み操作を容易にできる。他の電線差込孔４８〜５０は、器具本体２に内蔵された端子台４１の上下方向に延びる他の側面部、つまり、端子台４１の正面部を間に置いて斜面４１ａと反対側の側面に突設されている。
【００５４】
図３に示すように端子台４１は、その斜面４１ａを左側壁６と右側壁７の内の一方例えば右側壁７がわに配するとともに、他の電線差込孔４８〜５０を左側壁６に対向させた姿勢で、器具本体２内の端子台固定部３７ａ上に固定されることによって、第１の電線通し部１１と点灯装置２１との間に以下のように配置されている。
【００５５】
すなわち、端子台４１は、その上端と第１の電線通し部１１の中心との間の垂直距離Ｘ（図４参照）を５ｍｍ以上確保して、第１の電線通し部１１及び壁取付け部１２の下方に配置されている。この構成により、端子台４１より上側の高さ位置に第１の電線通し部１１及び壁取付け部１２を設けることができる。これとともに、第１の電線通し部１１より上方位置の上壁４と端子台４１の上面とは、垂直距離Ｙ（図４参照）にして第１の電線通し部１１の直径以上離れている。この構成は、後述するスペースＳを上方向により大きく確保できる点で好ましい。
【００５６】
更に、端子台４１は、器具本体２を左右方向に二分する中心線Ｃ（図３参照）から左側壁６寄りに離されている。これに伴い、端子台４１は、これに右側壁７がわから向かい合う部材、つまり、本実施形態では右側壁７に対して器具本体２の幅Ｗ１（図３及び図７参照）の半分以上離れている。この離間寸法を図３及び図７に符号Ｗ２で示す。離間寸法Ｗ２はＣ級の誘導灯１において５０ｍｍ以上であるとよく、本実施形態では７０ｍｍに設定してある。
【００５７】
こうした端子台４１の配置により、端子台４１とこの右側に対向した右側壁７と、端子台４１の上方の上壁４と、端子台４１の下方の点灯装置２１との間にこれらで区画されたスペースＳ（図２〜図６参照）が確保されている。このスペースＳの主たる部分は、中心線Ｃの右側に確保されていて、この部分の幅（左右方向の長さ）は前記離間寸法Ｗ２と同じであり、同部分の上下方向の長さは前記垂直距離Ｙと端子台４１の上下方向の長さを合計した値に略等しく、この上下方向の長さを図４中に符号Ｚで示す。スペースＳは、第１の電線通し部１１から電線差込孔４２〜４５にわたる電線、又は第２の電線通し部１４から電線差込孔４２〜４５にわたる電線を、図４で代表して示すように器具本体２を正面に見て略Ｕ字状に曲げて納めるために設けられている。
【００５８】
既述のように端子台４１の上下方向に延びる斜面４１ａに、複数の電線差込孔４２〜４５を上下方向に並べて設けたので、この端子台４１は、上下方向には複数の電線差込孔４２〜４５を列状（なお、これは、真っ直ぐな列であることには制約されない。）に並べるのに見合った上下方向の長さが必要であるが、電源用の電線差込孔４２〜４４とアース線用の電線差込孔４５が左右方向に並ばないので、端子台４１の左右方向の長さは短い。このような端子台４１を既述のように器具本体２内に配置したことは、スペースＳの幅、つまり、前記離間寸法Ｗ２をより大きく確保する上で好ましい。
【００５９】
次に、屋内の天井又は壁に設置されかつ表示板３５が未装着の状態にある器具本体２内に引込まれた電線を、電気工事作業者において端子台４１に接続する配線作業について説明する。
【００６０】
なお、器具本体２が屋内の垂直な壁に設置されている場合には、それ以前にノックアウト作業により第１の閉鎖部１１ｂが除去されて孔となった第１の電線通し部１１を通して、垂直な壁の裏側から二本の電源線５５，５６が所定長さ器具本体２に引込まれている。器具本体２が屋内の天井に設置されている場合には、それ以前にノックアウト作業により第２の閉鎖部１４ｂが除去されて孔となった第２の電線通し部１４を通して、天井裏から二本の電源線５５，５６が所定長さ器具本体２に引込まれている。更に、いずれの場合にも、アース用電線５７が同様に引込まれている。又、以下の作業手順において光源部３１は器具本体２に取付けられていても、いなくてもよく、取付けられていない場合には以下の配線作業の完了後でかつ表示板３５の装着前に器具本体２に光源部３１が装着される。
【００６１】
以上の設置状態で、電気工事作業者は、まず、器具本体２内にすでに引き込まれた各電線（電源線５５，５６、及びアース用電線５７）の先端部に対して必要な皮剥き作業を行った後に、皮剥きされた電線の端末部を端子台４１の電線差込孔４２〜４５の内の所定の電線差込孔に挿入して、挿入された電線の端末部を端子台内の電線接続端子に接続する電線接続作業を行う。この作業は以下の理由により容易に実行できる。
【００６２】
すなわち、以上説明した誘導灯１では、器具本体２の本体壁３に設けられた第１の電線通し部１１の下方に端子台４１が配設されている。このため、第１の電線通し部１１を通って器具本体２内に引込まれた電源線５５，５６等の電線の電線通し部側の根元部位は、電線の端末部が差込まれる端子台４１の斜面４１ａに対して器具本体２の左右方向に対向していない。これとともに、これら根元部位と端子台４１の斜面４１ａとの距離は、斜め上下方向に多少ではあるが広がる。言い換えれば、前記根元部位は端子台４１の右斜め上側にずれている。したがって、第１の電線通し部１１を通って壁裏から器具本体２内に引込まれた電線を端子台４１に差込み接続する電線接続作業において、前記根元部位が邪魔になることが抑制される。
【００６３】
更に、以上説明した誘導灯１では、端子台４１が有した斜面４１ａに端子台４１の電線差込孔４２〜４５が開放されている。このため、前記電線接続作業において、電線の皮剥きされた端末部を本体壁３と略平行に移動させることなく、端子台４１に対して斜めに電線の端末部を電線差込孔４２〜４５のいずれかに差込むことができる。この点でも前記根元部位が邪魔になることが抑制される。
【００６４】
それだけではなく、以上の斜めの電線差込みにより端子台４１に向かい合っている右側壁７に対しても、電線を握っている手が干渉することを抑制されるので、端子台４１への電線接続作業を容易にできる。なお、この場合の電線差込角θは１０°〜４０°である。そして、電線差込角θが１０°未満の場合には、電線を握っている手が右側壁７と干渉し易くなるだけではなく、器具本体２内で電線の皮剥きされた端末部を指で摘んだ状態で本体壁３と略平行に移動させることが必要となるので、電線接続作業上は適当ではない。又、電線差込角θが４０°を超える場合には、電線接続作業上は何ら問題がないが、後述するように表示板３５を適正に取付け保持する上で支障を生じることが考えられるので適当ではない。
【００６５】
以上のように端子台４１への電線の接続作業性を向上できることは、器具本体２の設置形態の違いにより、器具本体２の上壁４の第２の電線通し部１４を通って器具本体２内に天井裏から引込まれた電源線５５，５６等の電線を、端子台４１に接続する場合にも同様である。
【００６６】
しかも、第２の電線通し部１４は、第１の電線通し部１１よりも更に端子台４１から離れて第１の電線通し部１１の上方に設けられているため、第２の電線通し部１４を通って器具本体２内に引込まれた電源線５５，５６等の電線の電線通し部側の根元部位と端子台４１との距離をより大きくできる。したがって、前記根元部位がより邪魔になり難くなって、天井裏から引込まれた電線を取扱う際の自由度が高められ、端子台４１に接続する電線接続作業を更に容易に行うことができる。
【００６７】
以上の電線接続作業後に、電気工事作業者は、既に壁裏から器具本体２内に引込まれた電線を、器具本体２を正面に見て略Ｕ字状となるように曲げて端子台４１と器具本体２の右側壁７との間のスペースＳに収める器具本体２への電線収納作業を行う。
【００６８】
この場合、器具本体２に対して端子台４１は、器具本体２を幅方向に二分する中心線Ｃから左側壁６に寄せて離されているとともに、端子台４１に右側から向かい合った器具本体２の右側壁７に対して器具本体２の幅Ｗ１の半分以上離して配設されている。それにより、器具本体２の限られた大きさ内に、端子台４１と器具本体２の右側壁７との間に広いスペースＳが確保されている。
【００６９】
そのため、電線収納作業において、電気工事作業者は、第１の電線通し部１１から端子台４１の電線差込孔４２〜４５にわたる電線を、器具本体２を正面に見て略Ｕ字状となるように曲げて前記スペースＳに納めることができる。このように広く確保されたスペースＳに電線を曲げながら収納できるので、器具本体２内から外部に電線を押し戻す作業を殊更に行う面倒がなく、更に、電線を小さく曲げる作業も必要としない。したがって、器具本体２への電線収納作業を容易に行うことができる。
【００７０】
又、既述のように器具本体２の上壁４の第２の電線通し部１４は、第１の電線通し部１１よりも更に端子台４１から離れて第１の電線通し部１１の上方に設けられている。それにより、第２の電線通し部１４を通って天井裏から器具本体２内に引込まれた電線の器具本体２への収納作業において、電線の略Ｕ字状の曲がりがより緩やかになる。したがって、器具本体２への電線収納作業を更に容易に行うことができる。図４に第２の電線通し部１４に通された電線が器具本体２に収納された状態を示す。
【００７１】
以上のように器具本体２内に引込まれた電線の配線作業、すなわち、端子台４１への電線接続作業及び器具本体２への電線収納作業をいずれも容易に行うことができる。しかも、この場合、本実施形態の誘導灯１では、端子台４１を左側壁６に寄せてその右側のスペースＳを確保しているので、一般に右利きが多い電気工事作業者に好適であり配線作業がし易い。
【００７２】
こうした配線作業後には、器具本体２の正面部に表示板３５が嵌め込まれて、誘導灯１１の組み立てが完了する。この場合、端子台４１の斜面４１ａに対する電線差込角θが４０°以下であることにより、電線差込孔４２〜４５に差込まれた電線の端末部が、端子台４１の上面部に対して前方（表示板３５方向）に高く突出して、表示板３５の裏面に強く接しないようにできる。
【００７３】
更に、以上のように電源線５５，５６等の電線を端子台４１の一側がわの斜面４１ａに挿入して端子台４１に接続したことで、これらの電線が端子台４１の正面上に位置されることがないとともに、端子台４１の他側面の他の電線差込孔４８〜５０に挿入して接続した器具内電線５８も、端子台４１の正面上に位置されることがないので、端子台４１の正面上で電線が表示板３５の裏面に接して表示板３５を表面側に押すことがない。しかも、表示板３５の器具本体２への嵌め込みの深さが点灯装置２１で規制されていることにより、スペースＳ内で各種の電線が交差して重なることがあっても、電線が表示板３５の裏面に強く接しないようにできる。
【００７４】
そのため、電線差込孔４２〜４５に差込まれた電線の端末部によって表示板３５が本体壁３からより離れるように前方に押し出されて、所定位置から浮き上がったような不適正な装着状態となることが抑制されて、誘導灯１を適正に組立てることができる。
【００７５】
これに伴い、第１の電線通し部１１又は第２の電線通し部１４に通されて端子台４１に接続された電線を略Ｕ字状に曲げる際やその前後において、端子台４１側の電線端末部を本体壁３に近づくように強く押して曲げ、それにより、前記電線端末部が表示板３５に接しないか若しくは軽微に接するようにする手間を殊更要しない。したがって、この点においても電線の配線作業性を向上できる。
【００７６】
更に、既述のように前記電線差込角θによって、略Ｕ字状に曲げてスペースＳに収納された電線の端子台４１側の端末部が、表示板３５をその裏側から強く押すことがない。そのため、表示板３５が裏側から強く電線で押されないようにするために、表示板３５を端子台４１の正面から大きく離す構成を採用する必要がない。したがって、器具本体２内への電線の収納を原因として誘導灯１の厚みが増えることが抑制され、薄型にできる。
【００７７】
又、前記構成の誘導灯１の端子台４１は既述のように器具本体２の中心線Ｃに対して左側壁６がわにずれて配置されている。言い換えれば、端子台４１は第２の電線通し部１４の真下からずれている。そのため、誘導灯１が屋内の天井に直付けされている設置形態の場合、第２の電線通し部１４を通過した埃が端子台４１に付着し難い。しかも、既述のずれた配置と相まって、結露水が第２の電線通し部１４を通過した電線を伝い落ちることがあっても、器具本体２内で伝染が略Ｕ字状に曲がって収められているので、結露水が端子台４１に到達し難い。したがって、埃や水分を原因とする端子台４１の耐トラッキング性能が高い。
【図面の簡単な説明】
【００７８】
【図１】本発明の一実施形態に係る誘導灯を示す斜視図。
【図２】図１の誘導灯をその表示板を除去した状態で示す斜視図。
【図３】図１の誘導灯をその表示板を除去した状態で示す正面図。
【図４】図１の誘導灯をその表示板を除去しかつ各種電線が配線された状態で示す正面図。
【図５】図１の誘導灯の表示板を除去した状態でこの誘導灯の一部を縦方向の断面とともに示す斜視図。
【図６】図１の誘導灯の表示板を除去した状態でこの誘導灯の一部を横方向の断面とともに示す斜視図。
【図７】器具本体から光源部を分離した状態で図３中Ｆ７−Ｆ７線に沿って示す断面図。
【符号の説明】
【００７９】
１…誘導灯、２…器具本体、３…器具本体の本体壁、４…器具本体の上壁（器具本体の一辺）、６…器具本体の左側壁、７…器具本体の右側壁、１１…第１の電線通し部、１４…第２の電線通し部、２１…点灯装置、３１…光源部、３５…表示板（二次光原）、３５ａ…誘導表示、４１…端子台、４１ａ…端子台の斜面、４２〜４５…電線差込孔、５５，５６…電源線（電線）、５７…アース用電線、Ｌ…斜面に直交する直線、Ｃ…器具本体の中心線、Ｗ１…器具本体の幅、Ｗ２…端子台の離間寸法、θ…電線差込角、Ｙ…上壁と端子台との間の垂直距離、Ｓ…スペース
【図１】
2010129222.tif 000003
【図２】
2010129222.tif 000004
【図３】
2010129222.tif 000005
【図４】
2010129222.tif 000006
【図５】
2010129222.tif 000007
【図６】
2010129222.tif 000008
【図７】
2010129222.tif 000009